(57)【特許請求の範囲】
【請求項１】
被測定者の心電波形を測定する測定手段と、
その測定手段によって測定された心電波形に対して所定の処理を実行する処理手段と、
を備えた心電波形処理装置であって、
前記処理手段は、前記心電波形中のＲ波の存在する位置には１を、その他の位置には０を記録した二値化データを作成する二値化処理と、その二値化処理によって作成された二値化データ中の１の幅を、前記二値化処理によって作成された二値化データ中の１が存在する位置の平均間隔の半分の幅まで拡大する拡幅処理とを行うことを特徴とする心電波形処理装置。
【請求項２】
ステアリングホイールの左右の把持部にそれぞれ設けられた電極部を備え、
前記被測定者は、前記左右の電極部を介して、前記ステアリングホイールを把持した運転者であることを特徴とする請求項１に記載の心電波形処理装置。
【請求項３】
前記各電極部は、ステアリングホイールの運転席側表面に配置されていることを特徴とする請求項２に記載の心電波形処理装置。
【請求項４】
前記測定手段は、前記ステアリングホイール内に実装されていることを特徴とする請求項２または３に記載の心電波形処理装置。
【請求項５】
前記請求項１〜４の何れかに記載の心電波形処理装置を備え、
前記処理手段によって拡幅処理された二値化データに対して周波数解析を行い、その周波数解析結果に基づいて心拍数を測定することを特徴とする心拍数測定装置。
【発明の詳細な説明】
【技術分野】
【０００１】
本発明は、被測定者から測定した心電波形に対して所定の処理を実行する心電波形処理技術に関する。
【背景技術】
【０００２】
従来、ステアリングホイールのリング部に左右一対の電極部を設け、車両運転者がこれら各電極部を左右の手で把持した際に各電極間に生じる電位差を検出することで、運転者の心電波形を測定し、その心電波形から心拍数を測定する装置が知られている（例えば、特許文献１参照）。
【特許文献１】特開平６−２５５５１６号公報
【発明の開示】
【発明が解決しようとする課題】
【０００３】
このような心拍数測定装置においては、一定時間計測した心電波形の周波数解析結果から心拍数を求めている。これは、心電波形の周波数スペクトルから最も高いピークを検出し、その周波数を心拍数に変換する方法である。例えば図１４に示すように、心電波形測定→ハイパスフィルタ処理→ＦＦＴ（高速フーリエ変換）処理→ピーク周波数から心拍数計算、という処理を順次施している。
【０００４】
しかしながら、周波数スペクトルには、心拍数によって決まる基本周波数のピークの他に高調波によるピークが出現することが多く、この高調波によるピークを誤って検出してしまった場合、心拍数を正しく測定することができなくなる。
【０００５】
なお、このような問題は、ステアリングホイールのリング部に左右一対の電極部を設け、その電極部を把持した車両運転者が被測定者である場合以外でも同様である。
本発明は、こうした問題に鑑みなされたものであり、被測定者から得た心電波形を処理して、周波数スペクトルの高調波成分を低減した心電波形にすることを目的とする。
【課題を解決するための手段】
【０００６】
かかる目的を達成するためになされた請求項１に記載の心電波形処理装置においては、測定手段が被測定者の心電波形を測定するのであるが、本願発明者は、二値化および拡幅処理を加えることによって、周波数スペクトルの高調波成分を低減でき、例えば心拍数計算に適した心電波形にすることができることを見いだした。
【０００７】
そこで、測定手段によって測定された心電波形に対して所定の処理を実行する処理手段が、次のような処理を行う。つまり、心電波形中のＲ波の存在する位置には１を、その他の位置には０を記録した二値化データを作成する二値化処理と、その二値化処理によって作成された二値化データ中の１の幅を、前記二値化処理によって作成された二値化データ中の１が存在する位置の平均間隔の半分の幅まで拡大する拡幅処理とを行うのである。
【０００８】
このように拡幅処理された二値化データに対して周波数解析を行えば、その周波数スペクトルの高調波成分を低減させることができる。そのため、例えば請求項６に示すように、拡幅処理された二値化データに対して周波数解析を行い、その周波数解析結果に基づいて心拍数を測定する心電波形処理装置に適用すれば、心拍数を正しく測定できる。
【０００９】
拡幅処理を実行することで、二値化データの周波数スペクトルの高調波成分を低減させることができるのであるが、二値化処理によって作成された二値化データ中の１の幅を、二値化処理によって作成された二値化データ中の１が存在する位置の平均間隔の半分の幅まで拡大すると、理論的には、もっとも高調波成分を低減させることができると考えられる。
【００１０】
このような心電波形処理装置の被測定者としては、例えば車両の運転者とすることが考えられる。その場合は、請求項２に示すように、ステアリングホイールの左右の把持部にそれぞれ設けられた電極部を備え、被測定者として、左右の電極部を介してステアリングホイールを把持した運転者とすることが考えられる。
【００１１】
また、上記いずれの場合においても、複数の電極部は、運転者がステアリングホイールを把持する際に把持しやすい位置に配置すればよいが、より好ましくは、請求項３に記載のように、ステアリングホイールの運転席側表面に配置することが望ましい。
【００１２】
つまり、ステアリングホイールの運転席側表面は、運転者がステアリングホイールの左右を把持した際に、運転者の掌において、最も皮膚が薄くなっている親指の付け根部分が当接されることから、各電極部を請求項３に記載のように配置すれば、心電信号等の生体信号をより検出し易くなり、生体信号のＳＮ比を改善して、心電波形の測定精度を向上できる。
【００１３】
また、測定手段は、車両のどこに設けてもよいが、配線のし易さ及び雑音低減のためには、電極部の近くに配置することが望ましく、そのためには、ステアリングホイール内に実装するとよい。
【発明を実施するための最良の形態】
【００１４】
以下に本発明の実施形態を図面と共に説明する。
図１は、車両運転者の心電波形を測定して所定の処理を施し、さらに心拍数を測定する心拍数測定装置の構成を表すブロック図であり、図２は、当該測定装置各部の車両への配置状態を表す説明図である。また、図２において、（ａ）はステアリングホイール２を運転席側からみた正面図であり、（ｂ）はステアリングホイール２の側面図である。
【００１５】
図１に示すように、本実施形態の心拍数測定装置には、車両運転者から心電波形を取得するためにステアリングホイール２の左右の把持部にそれぞれ設けられた左右の電極部（左電極部１０及び右電極部２０）が備えられている。
【００１６】
この左右の電極部１０、２０は、図２に示すように、ステアリングホイール２のリング部（ホイールリング）４で、左右のスポーク部（ホイールスポーク）６が連結される部分に設けられている。
【００１７】
また、この左右の電極部１０、２０は、運転者が左右の手でそれぞれ同時に把持できるように、リング部の周方向に沿って配置されており、左右のスポーク部６の連結部に配置された中央部分は、それぞれ、スポーク部６側に張り出すように形成されている。なお、これは、運転者がこの部分を把持した際に、運転者の掌に接触する面積を広くして、運転者の掌との接触インピーダンスを小さくするためである。
【００１８】
また、これら各電極部１０、２０は、運転者がステアリングホイール２を把持した際に、運転者の掌において皮膚の厚みが少ない親指の付け根当たりが接触するよう、ステアリングホイール２の運転席側表面に配置されている。なお、これも、各電極部１０、２０と運転者の掌との接触インピーダンスを小さくするためである。
【００１９】
また、図１に示すように、各電極部１０、２０は、第１電極１１、２１と、第２電極１２、２２とからなる電極対として構成されている。そして、これら各電極部１０、２０の各電極１１、１２、２１、２２は、スイッチング回路部３０を介して、心電波形（換言すれば心電信号）及び接触インピーダンス測定用の各測定回路部に接続される。
【００２０】
すなわち、本実施形態の心拍数測定装置には、左右の電極部１０、２０にそれぞれ接続されて、左右の電極部１０、２０間に生じた電位差を増幅することで心電信号を生成する増幅部４０と、左右の電極部１０、２０と運転者の掌との間の接触インピーダンスを測定するためのインピーダンス測定部５０とが設けられており、スイッチング回路部３０を介して、左右の電極部１０、２０の第１電極１１、２１を増幅部４０に接続することにより、増幅部４０を介して心電信号を測定したり、あるいは、スイッチング回路部３０を介して、各電極部１０、２０の第１電極１１、２１と第２電極１２、２２とをインピーダンス測定部５０に接続することにより、インピーダンス測定部５０を介して接触インピーダンスを測定できるようにされている。
【００２１】
なお、スイッチング回路部３０は、左右の電極部１０、２０毎に、各電極１１、１２、２１、２２を基準電位（本実施形態ではグランド：ＧＮＤ）に接続するか、増幅部４０若しくはインピーダンス測定部５０の測定回路部側に接続するかを切り換える第１切換スイッチ３２と、この第１切換スイッチ３２を介して測定回路部側に切り換えられた電極１１、１２、２１、２２を、増幅部４０か、若しくは、インピーダンス測定部５０に接続する第２切換スイッチ３４とから構成されている。
【００２２】
また、このスイッチング回路部３０の切り換え、増幅部４０を用いた心電信号の測定、及び、インピーダンス測定部５０を用いた接触インピーダンスの測定は、全て、ＣＰＵ、ＲＯＭ、ＲＡＭ等を中心に構成されたマイクロコンピュータ（以下単にＣＰＵという）６０により実行される。
【００２３】
また、ＣＰＵ６０には、無線通信部７０が接続されており、ＣＰＵ６０は、無線通信部７０に接続された外部機器（具体的には運転者が所持する携帯機器や車載機器等）からの要求に従い、接触インピーダンスや心電信号の測定結果を、無線通信部７０を介して外部機器に送信する。
【００２４】
また、ＣＰＵ６０には、情報記憶部７５が接続されている。この情報記憶部７５は、フラッシュメモリ等の書き換え可能な不揮発性メモリを備え、後述する測定用回転角度αなどを記憶しておくことができる。
【００２５】
そして、図２に示すように、スイッチング回路部３０は、左電極部１０用と右電極部２０用とに分離されて、エアバッグ等が設けられるステアリングホイール２の中央部８の左右両側に配置され、他の回路部、つまり、増幅部４０、インピーダンス測定部５０、ＣＰＵ６０、及び無線通信部７０は、共通の基板８０に実装されて、ステアリングホイール２の中央部８の略中心位置に収納されている。
【００２６】
次に、図３は、増幅部４０の構成を表すブロック図である。
この増幅部４０は、スイッチング回路部３０を介して接続される２つの電極間に生じた電位差を検出して増幅するための差動増幅回路４２と、差動増幅回路４２からの出力を所定レベルまで増幅する利得調整可能な可変増幅回路４４と、可変増幅回路４４からの出力信号の中から、心電波形を測定するのに必要な周波数帯（例えば約３５Ｈｚ以下）の信号（心電信号）のみを選択的に通過させるバンドパスフィルタ（ＢＰＦ）４６とから構成されている。
【００２７】
また、このＢＰＦ４６は高周波側のカットオフ周波数を調整可能な可変ＢＰＦからなり、この可変ＢＰＦ４６のカットオフ周波数や可変増幅回路４４の利得は、ＣＰＵ６０からＤ／Ａ変換器６４を介して出力される制御信号により調整される。
【００２８】
次に、図４は、インピーダンス測定部５０の構成を表す回路図である。
インピーダンス測定部５０は、本実施形態では、インピーダンス測定部５０とＣＰＵ６０での演算処理とにより、ロックインアンプとしての機能を実現し、スイッチング回路部３０を介して接続された２つの電極間（図では電極１１−１２間）のインピーダンスＺを測定する。
【００２９】
すなわち、インピーダンス測定部５０は、ＣＰＵ６０からＤ／Ａ変換器６６を介して入力される単一周波信号Ｅを、バッファ５２を介して取り込み、基準抵抗Ｒｒｅｆを介して、一方の電極１１に印加することで、単一周波信号Ｅを、基準抵抗Ｒｒｅｆと電極１１−１２間の抵抗（接触インピーダンス）Ｚで分圧し、その分圧電圧Ｖを、バッファ５４を介してＣＰＵ６０に出力する。
【００３０】
そして、ＣＰＵ６０は、この分圧電圧ＶをＡ／Ｄ変換器６２を介して取り込み、単一周波信号Ｅと分圧電圧Ｖとを乗算して、ローパスフィルタにてフィルタリング処理することにより、雑音を除去した分圧電圧Ｖを求める（ロックインアンプ機構）。そして、更にＣＰＵ６０は、このロックインアンプ機構により得られた電圧Ｖと単一周波信号Ｅとを用いて、「Ｖ＝Ｇ・Ｅ」のゲインＧを求め、インピーダンスＺを算出する。なお、この場合の演算式は、「Ｚ＝Ｒｒｅｆ×Ｇ／（１−Ｇ）」となる。
【００３１】
次に、例えば車両のエンジン運転中に、ＣＰＵ５０において繰り返し実行される心拍数測定処理について、図５のフローチャートを参照して説明する。
図５からも分かるように、心電波形測定（Ｓ１０）、ハイパスフィルタ処理（Ｓ２０）、Ｒ波の検出（Ｓ３０）、二値化処理（Ｓ４０）、拡幅処理（Ｓ５０）、ＦＦＴ処理（Ｓ６０）、ピーク周波数から心拍数測定（Ｓ７０）を順次実行する。これらの処理内容を順番に説明する。
【００３２】
［Ｓ１０の心電波形測定］
まず、各電極部１０、２０での接触インピーダンスをそれぞれ測定するため、スイッチング回路部３０を切り換えることによって、電極部１０（又は２０）の第１電極１１（又は２１）と第２電極１２（又は２２）をインピーダンス測定部５０に接続し、その後インピーダンス測定部５０から検出信号（上述の電圧Ｖ）を取り込み、接触インピーダンス（Ｉｍｐ）Ｚｉを算出する。
【００３３】
次に、電極部１０、２０が増幅部４０に接続されて差動増幅回路４２を動作させるよう、スイッチング回路部３０を切り換える。そして、増幅部４０から信号を取り込むことで、誘導雑音Ｖｎを測定し、その測定結果を、ＲＡＭに記憶する。なお、この測定時には、増幅部４０内の可変ＢＰＦ４６のカットオフ周波数を最大（つまり可変ＢＰＦ４６の通過帯域幅を最大）にすることで、心電波形に影響を与える５０〜６０Ｈｚ付近のハムノイズを検出できるようにする。そして、このように誘導雑音Ｖｎを測定すると、Ｓ２４０に移行して、その測定結果をＦＦＴ処理することで、心電波形に影響を与える５０〜６０Ｈｚ付近のハムノイズ周波数を算出し、記憶する。
【００３４】
上記算出した接触インピーダンスＺｉが予め設定された閾値以下であれば、電極部１０、２０を使って心電波形（信号）を仮測定する。そして、仮測定した心電波形をＦＦＴ処理し、そのＦＦＴ処理の結果に基づき、心電波形の最大周波数である３５Ｈｚ付近での心電スペクトルの終端部を検出し、この検出結果と上記算出したハムノイズ周波数とに基づき、増幅部４０で不要な信号成分を除去するのに最適な、可変ＢＰＦ４６のカットオフ周波数、及び可変増幅回路４４の利得とを算出し、その算出結果に従い、心電波形の測定に用いる全ての増幅部４０における可変ＢＰＦ４６のカットオフ周波数と、可変増幅回路４４の利得を調整する。
【００３５】
こうして、心電波形の測定に用いる増幅部４０の特性が調整されると、今度は、正式に心電波形（信号）を測定する。そして、上記測定した誘導雑音Ｖｎに基づき心電波形から雑音成分を除去する。その最終的な心電波形を、ＲＡＭに記憶する。図６（ａ）に、測定した心電波形の一例を示す。
【００３６】
［Ｓ２０のハイパスフィルタ処理］
これは、心電波形（信号）に混入したノイズを除去するためのフィルタ処理である。図６（ｂ）に、ハイパスフィルタ処理後の心電波形を示す。図６（ａ）と比較して低周波ノイズが低減されているのが分かる。
【００３７】
［Ｓ３０のＲ波の検出］
心電位の時間的変化の波形である心電波形中に現れるＲ波を検出する。具体的には、図６（ｂ）に現れているピークをＲ波として検出するため、ピーク検出を行う。
【００３８】
［Ｓ４０の二値化処理］
この二値化処理においては、Ｓ３０にて検出したＲ波の存在する位置に１を、その他の位置に０を記録したデータを作成する。その作成した二値化データを図７（ａ）に示す。
【００３９】
［Ｓ５０の拡幅処理］
この拡幅処理は、Ｓ４０で作成した二値化データの１の幅を拡大する処理である。この二値化データの１の幅を拡大する方法としては、例えば移動平均処理や積分処理などが考えられる。
【００４０】
なお、図７（ｂ）（ｃ）、図８（ａ）（ｂ）（ｃ）、図９（ａ）（ｂ）には、拡幅した後の二値化データを示している。これらは、拡幅する程度を変更した結果であるが、これらの中では図８（ｂ）に示す「拡幅８０」が最も妥当である。この点は後述するが、ここでは、Ｓ４０で作成した二値化データの１の幅を、図８（ｂ）に示すような「拡幅８０」の拡幅処理を施す。
【００４１】
［Ｓ６０のＦＦＴ処理］
周波数解析のためＦＦＴ（高速フーリエ変換）処理を施す。図１１（ａ）は、図７（ａ）に示す二値化データ（拡幅処理を施していない二値化データ）をＦＦＴ処理して得た周波数解析結果を示している。また、図１１（ｂ）（ｃ）、図１２（ａ）（ｂ）（ｃ）、図１３（ａ）（ｂ）はそれぞれ、図７（ｂ）（ｃ）、図８（ａ）（ｂ）（ｃ）、図９（ａ）（ｂ）に示す拡幅後の二値化データをＦＦＴ処理して得た周波数解析結果を示している。
【００４２】
Ｓ５０の処理では図８（ｂ）に示すような「拡幅８０」の拡幅処理を施しているので、それをＦＦＴ処理した結果は、図１１（ｂ）に示すようになる。
［Ｓ７０のピーク周波数から心拍数測定］
図１１（ｂ）に示す周波数解析結果からも明確に分かるように、この場合は、１．１Ｈｚ付近にあるピークが、心拍に起因するピークである。したがって、このピーク周波数を心拍数に変換する。具体的には、１．１Ｈｚ×６０＝６６拍／分となる。
【００４３】
以上説明したように、本実施形態の心拍数測定装置においては、測定した心電波形に対して、その心電波形中のＲ波の存在する位置には１を、その他の位置には０を記録した二値化データを作成する二値化処理（図５のＳ４０）を行い、さらに、その二値化処理によって作成された二値化データ中の１の幅を拡大する拡幅処理（Ｓ５０）を行う。
【００４４】
このように拡幅処理された二値化データに対して周波数解析（図６のＳ６０）を行えば、その周波数スペクトルの高調波成分を低減させることができる。そのため、その周波数解析結果のピーク周波数を心拍数に変換すれば、心拍数を正しく測定できる。
【００４５】
本願発明者は、心電波形の処理に際して、二値化および拡幅処理を加えることによって、周波数スペクトルの高調波成分を低減でき、例えば心拍数計算に適した心電波形にすることができることを見いだしたのであるが、この「二値化および拡幅処理」によって、どのように周波数スペクトルの高調波成分が低減されるのかを、図６〜図１２を参照して説明する。
【００４６】
図１１（ａ）は、図７（ａ）に示す二値化データ、すなわち、拡幅処理を施していない二値化データをＦＦＴ処理して得た周波数解析結果を示している。この図１１（ａ）の周波数解析結果によれば、心拍数によって決まる基本周波数のピーク（ここでは１．１Ｈｚのピーク）の他に、高調波によるピーク（ここでは、２．２Ｈｚ付近、３．３Ｈｚ、４．５Ｈｚ付近のピーク）が出現しており、この高調波によるピークを誤って検出してしまった場合、心拍数を正しく検出することができなくなる。
【００４７】
一方、図７（ｂ）（ｃ）、図８（ａ）（ｂ）（ｃ）、図９（ａ）（ｂ）は、それぞれ２０，４０，６０，８０，１００，１２０，１４０（単位はポイント）拡幅した後の二値化データを示している。なお、ここで使用している「ポイント」とは、二値化データにする際の分解能に基づく単位であり、物理的には時間に対応する単位である。本実施形態で用いた拡幅しない状態の二値化データのピークの平均間隔は、約１７５ポイントである。
【００４８】
これら拡幅した二値化データをＦＦＴ処理して得た周波数解析結果が、図１１（ｂ）（ｃ）、図１２（ａ）（ｂ）（ｃ）、図１３（ａ）（ｂ）である。拡幅処理を施していない二値化データをＦＦＴ処理して得た周波数解析結果である図１１（ａ）と比べ、高調波成分が低減されていることが分かる。より具体的には、拡幅度合いが２０，４０，６０，８０（単位はポイント）と増えるにつれて、周波数スペクトルの高調波成分が低減されることが分かる。そして、拡幅度合いがさらに８０，１００，１２０，１４０（単位はポイント）と増えるにつれて、今度は逆に、一旦低減された（周波数スペクトルの）高調波成分が増加することが分かる。
【００４９】
つまり、これら２０，４０，６０，８０，１００，１２０，１４０（単位はポイント）の拡幅処理においては、８０ポイントの拡幅処理が最も高調波成分の低減に寄与することが分かる。
【００５０】
図１３は、基本周波数のピーク高さを１とした時の２次高調波のピーク高さを示す説明図である。縦軸がピーク高さを示し、横軸が拡幅ポイントを示している。
拡幅０ポイントの場合の２次高調波のピーク高さは、１．０８８４６９６８２
拡幅２０ポイントの場合の２次高調波のピーク高さは、０．９４９９７６２２１
拡幅４０ポイントの場合の２次高調波のピーク高さは、０．６２１７９１５９７
拡幅６０ポイントの場合の２次高調波のピーク高さは、０．２５４７８６１５４
拡幅８０ポイントの場合の２次高調波のピーク高さは、０．０２３３８３７３１
拡幅１００ポイントの場合の２次高調波のピーク高さは、０．０５４０５９８７４
拡幅１２０ポイントの場合の２次高調波のピーク高さは、０．３８５４６２５７３
拡幅１４０ポイントの場合の２次高調波のピーク高さは、１．０２４９２５８７１
上述のように、本実施形態で用いた拡幅しない状態の二値化データのピークの平均間隔は、約１７５ポイントであるため、理論上は、その半分の８７ポイントの拡幅が理想的である。図１１〜図１３に示す結果でも、拡幅８０ポイントのときの２次高調波が最も小さくなっており、理論値と一致する。
【００５１】
以上、本発明の一実施形態について説明したが、本発明は上記実施形態に限定されるものではなく、本発明の要旨を逸脱しない範囲内にて種々の態様をとることができる。
（ａ）上記実施形態の心拍数測定装置においては、心電波形に対して二値化処理（図５のＳ５４０）、拡幅処理（同Ｓ５５０）を施した後、さらにＦＦＴ処理（同Ｓ５６０）を施して、心拍数測定（同Ｓ５７０）まで実行している。
【００５２】
しかし、拡幅処理までを行う心電波形処理装置として構成し、その拡幅処理した心電波形を外部へ送信し、外部装置においてＦＦＴ処理・心拍数測定を実行するようにしてもよい。つまり、心電波形処理装置としての発明として実現可能である。
【００５３】
（ｂ）上記実施形態の心拍数測定装置においては、ステアリングホイール２のリング部４に左右一対の電極部１０，２０を設け、その電極部１０，２０を把持した車両運転者が被測定者である場合について説明したが、それ以外の状況における測定であっても同様である。
【図面の簡単な説明】
【００５４】
【図１】実施形態の心拍数測定装置の全体の構成を表すブロック図である。
【図２】心拍数測定装置各部のステアリングホイールへの配置状態を表す説明図である。
【図３】増幅部の構成を表すブロック図である。
【図４】インピーダンス測定部の構成を表す回路図である。
【図５】ＣＰＵにて実行される心拍数測定処理を表すフローチャートである。
【図６】（ａ）は測定した心電波形、（ｂ）はそれをハイパスフィルタ処理した波形を表す説明図である。
【図７】（ａ）はＲ波の存在する位置に１を、その他の位置に０を記録した二値化データ、（ｂ）（ｃ）は拡幅処理したデータを表す説明図である。
【図８】拡幅処理したデータを表す説明図である。
【図９】拡幅処理したデータを表す説明図である。
【図１０】（ａ）は拡幅処理を施さない二値化データの周波数解析結果、（ｂ）（ｃ）は拡幅処理したデータの周波数解析結果を表す説明図である。
【図１１】拡幅処理したデータの周波数解析結果を表す説明図である。
【図１２】拡幅処理したデータの周波数解析結果を表す説明図である。
【図１３】基本周波数のピーク高さを１とした時の２次高調波のピーク高さを示す説明図である。
【図１４】従来の心拍数測定の手法を示すフローチャートである。
【符号の説明】
【００５５】
２…ステアリングホイール、４…リング部、６…スポーク部、８…中央部、１０…左電極部、１１…第１電極、１２…第２電極、２０…右電極部、２１…第１電極、２２…第２電極、３０…スイッチング回路部、３２…第１切換スイッチ、３４…第２切換スイッチ、４０…増幅部、４２…差動増幅回路、４４…可変増幅回路、４６…可変ＢＰＦ、５０…インピーダンス測定部、５２，５４…バッファ、６０…ＣＰＵ（マイクロコンピュータ）、６２…Ａ／Ｄ変換器、６４，６６…Ｄ／Ａ変換器、７０…無線通信部、８０…基板。
【図１】
0005018569.tif 000002
【図２】
0005018569.tif 000003
【図３】
0005018569.tif 000004
【図４】
0005018569.tif 000005
【図５】
0005018569.tif 000006
【図１４】
0005018569.tif 000007
【図６】
0005018569.tif 000008
【図７】
0005018569.tif 000009
【図８】
0005018569.tif 000010
【図９】
0005018569.tif 000011
【図１０】
0005018569.tif 000012
【図１１】
0005018569.tif 000013
【図１２】
0005018569.tif 000014
【図１３】
0005018569.tif 000015